(57)【要約】【課題】脆弱さの無いスライドファスナー用下止具及び下止具を備えたスライドファスナーを提供すること。【解決手段】間にギャップ３を介在させて配された一対のファスナーテープ２であって、その内側縁部に噛合エレメント５を備えている当該ファスナーテープ２からなるスライドファスナー用の下止具１０が開示されている。当該下止具は、リベット部材１１と、これに対応するバックプレート１２からなる。バックプレート１２は、少なくとも一つの貫通孔１２ａを備えている。当該リベット部材１１は、バックプレート１２の当該少なくとも一つの孔１２ａを貫通して係合し、バックプレート１２を越えた位置においてバックプレート１２押圧して永久的に変形するようになっている少なくとも一つの一体的な突出ピン１１ｂを有している。【選択図】図１
2008068110.tif 000002
【特許請求の範囲】
【請求項１】
間にギャップ（３）を介在させて配された一対のファスナーテープ（２）であって、その内側縁部に噛合エレメント（５）を備えている当該ファスナーテープ（２）からなるスライドファスナー用の下止具（１０）であって、当該下止具（１０）は、ファスナーテープ（２）に取り付けられるようになっている第１及び第２取付プレート部材（１１ａ，１２）からなり、当該取付プレート部材（１１ａ，１２）は、噛合エレメント列（５）の下端部近傍でファスナーテープ（２）の間に介在したギャップ（３）を跨るようにスライドファスナー（１）の夫々の面に一つづつ取り付けられており、当該プレート部材（１１ａ，１２）は、少なくとも一つの横切って延びている連結部材（１１ｂ）によって互いに連結されており、当該第１及び第２取付プレート部材（１１ａ，１２）は、夫々リベット部材（１１）のプレート部（１１ａ）とバックプレート（１２）であり、バックプレート（１２）は、少なくとも一つの貫通孔（１２ａ）を設けており、当該連結部材（１１ｂ）は、リベット部材（１１）に設けられた一つの一体的な突出ピン（１１ｂ）であって、当該突出ピン（１１ｂ）は、バックプレート（１２）の少なくとも一つの貫通孔（１２ａ）を貫通して係合し、バックプレート（１２）を越えた位置でそしてバックプレートに対して押圧されて永久変形するようになっていることを特徴とする下止具。
【請求項２】
リベット部材（１１）は、複数の一体的な突出ピン（１１ｂ）を有しており、バックプレート（１２）は、これに対応する数の貫通孔（１２ａ）を有していることを特徴とする請求項１に記載された下止具。
【請求項３】
一対のファスナーテープ（２）の内側縁部は、夫々、縦状補強コード（４）を備えており、ファスナーテープ（２）に取り付けるためのリベット部材（１１）のプレート部（１１ａ）は、その面に、一対の平行に走る溝部（１１ｃ）を有しており、当該溝部（１１ｃ）は、ファスナーテープ（２）の補強コード４を収容して保持するようになっていることを特徴とする請求項１又は２に記載されたスライドファスナー用の下止具。
【請求項４】
リベット部材（１１）のプレート部（１１ａ）は、ファスナーテープ（２）を保持するための鋸刃状切込部（１３）の列を設けていることを特徴とする請求項１に記載された下止具。
【請求項５】
当該リベット部材（１１）は、ファスナーテープ（２）の補強コード（４）を咬着するようになっている少なくとも一つの突出峰部（１１ｄ）を設けていることを特徴とする請求項１に記載された下止具。
【請求項６】
請求項１〜５のいずれか一つに記載された下止具（１０）を備えたスライドファスナー。
【請求項７】
バックプレート（１２）とリベット部材（１１）は、リベット部材（１１）のピン（１１ｂ）がファスナーテープ（２）の間に介在するギャップ（３）を貫通して延びているような態様でファスナーテープ（２）に取り付けられていることを特徴とする請求項６に記載されたスライドファスナー。
【請求項８】
一対のファスナーテープ（２）は、夫々、その下端部において、少なくとも一つの貫通孔を設けており、リベット部材（１１）は、ファスナーテープ（２）の孔部及びバックプレート（１２）の対応する孔部（１２ａ）を貫通して係合する少なくとも二つの一体的なピン（１１ｂ）を有していることを特徴とする請求項６に記載されたスライドファスナー。
【発明の詳細な説明】
【技術分野】
【０００１】  本発明は、左右一対のファスナーテープを有し、各ファスナーテープの間にギャップを形成したスライドファスナーであって、当該テープの夫々の内側縁部に縦列状の噛合エレメントを設けたスライドファスナーに使用するための下止具に関するものである。
【背景技術】
【０００２】  具体的に言うと、本発明は、スライドファスナーの夫々の面に一つづつファスナーテープの噛合エレメント列の下端部近傍においてファスナーテープ間のギャップを跨って取り付けられるようになっている第１及び第２の取付プレート部材からなる下止具であって、これらのプレート部材は、ファスナーテープの表裏方向に延びる少なくとも一つの連結部材によって互いに連結されているような下止具に関するものである。【０００３】  この種の下止具は、例えば、ＥＰ−０１１０３４６−Ａ１に開示されている。
【特許文献１】ＥＰ−０１１０３４６−Ａ１公報
【発明の開示】
【発明が解決しようとする課題】
【０００４】  この文献に開示されている下止具は、いわゆるバタフライタイプという構造であり、金属製の一片で作られている。この先行技術の下止具においては、下止具をファスナーテープに取り付ける際に下止具の翼部を折り曲げることが必要であるので脆弱さが見られた。
本発明の一つの目的は、上記のような脆弱さの無いスライドファスナー用改良下止具を提供する事である。
【課題を解決するための手段】
【０００５】  本発明によれば、この目的及びその他の目的は、上に記載された種類の下止具であって、当該第１及び第２取付プレート部材１１ａ，１２は、夫々リベット部材１１のプレート部１１ａとバックプレート１２であること、バックプレート１２は、少なくとも一つの貫通孔１２ａを設けていること、及び、当該連結部材１１ｂは、リベット部材１１に設けられた一つの一体的な突出ピン１１ｂであって、当該突出ピン１１ｂは、バックプレート１２の少なくとも一つの貫通孔１２ａを貫通して係合し、バックプレート１２を越えた位置でそしてバックプレートに対して押圧されて永久変形するようになっていることを特徴とする前記下止具によって達成することが出来る。
【発明の効果】
【０００６】  本発明による下止具がスライドファスナーに取り付けられる際に、リベット部材のピンを変形するために圧力を均等にかけることができ、下止具の取付プレート部材の如何なる部分も折り曲げる必要性が無いのである。
【発明を実施するための最良の形態】
【０００７】  本発明の更なる特徴及び効果は、添付図面を参照して好ましい実施例に従って本発明を説明している次に続く発明の詳細な説明の部分から明らかになる。尚、この実施例は、発明の範囲を限定するものではない。【０００８】  これらの図面において、参照番号１は、スライドファスナーを示している。当該スライドファスナー１は、左右一対のファスナーテープ２を有し、各ファスナーテープ２の左右方向に対向する内側縁部を有し、これら内側縁部の間にギャップ３が形成されている。【０００９】  図に示された実施例においては、各ファスナーテープ２の夫々の内側縁部に沿って、縦状補強コード４が設けられている。【００１０】  テープ２の内側縁部には、それ自体周知の方法で、金属製エレメント又は射出成型エレメントのような縦列状の噛合エレメント５が設けられている。
本発明による下止具は、参照符号１０で示されており、噛合エレメント５の縦列の下端部近傍においてジッパーのファスナーテープ２に取り付けられている。【００１１】  下止具１０は、当初は別個の二つの部材、即ち、リベット部材１１と、これに対応するバックプレート１２とからなっている。（特に、図８を参照せよ。）【００１２】  図面に示された実施例においては、リベット部材１１は、縦方向に長尺な実質的に矩形のプレート部１１ａからなっている。プレート部１１ａには、その内側面から一体的に突出する２本のピン１１ｂが設けられており、当該ピン１１ｂは、プレート部１１ａの縦方向に所定の間隔を空けて配置されている。一方、バックプレート１２は、実質的にリベット部材１１のプレート部１１ａと同じ長尺な矩形形状を呈している。バックプレート１２には、バックプレート１２を表裏方向に貫通する２つの孔１２ａが形成されており、当該孔１２ａは、バックプレート１２の縦方向に所定の間隔を空けて配置されている。リベット部材１１のピン１１ｂは、バックプレート１２の対応する孔１２ａに挿入され、再び孔１２ａから抜け取れないように係合するようになっている。（特に図３及び図８を参照せよ。）図８に関してであるが、ここに示されている実施例においては、ピン１１ｂは、実質的に円筒状の軸部を有しており、実質的に円錐状の終端部で終わっている。【００１３】  リベット部材１１のピン１１ｂは、バックプレート１２の孔１２ａに貫通した後、例えば、打撃によってバックプレート１２を越えた位置でそしてバックプレートに対して押圧されて塑性変形する。また、打撃に代えて、当該ピン１１ｂは、熱で変形させてもよく、ピン１１ｂが永久に元の形状に戻らないように変形される。この変形によって、ピン１１ｂの終端部は、ピン１１ｂの半径方向へ膨大化し、孔１２ａの直径よりも大きな形状となって、ピン１１ｂが孔１２ａから抜け取れ不能とすることができる。【００１４】  図８に関して説明するが、ファスナーテープ２に取り付けられるリベット部材１１のプレート部１１ａの面には、ピン１１ｂを挟んだ左右位置に、プレート部１１ａの縦方向へ平行に延びる一対の縦溝１１ｃが設けられており、当該縦溝１１ｃは、ファスナーテープ２の補強コード４を収容し、これを確実に把持するようになっている。【００１５】  リベット部材１１のプレート部１１ａは、ファスナーテープ２を把持するため鋸刃状切込部１３の列が設けられていることが好ましい。当該鋸刃状切込部１３の列は、プレート部１１ａの４つのコーナー部分に配置され、縦溝１１ｃに沿って、プレート部１１ａの縦方向へ延びている。（図８を参照せよ。）これらの鋸刃状切込部１３が、対応するファスナーテープ２を咬着するようになっているからである。しかしこれを設ける必要は必ずしも無い。【００１６】  夫々の溝１１ｃには、縦溝１１ｃを横断するようにプレート部１１ａの横方向に延びる少なくとも一つの突出峰部１１ｄを設けた方がよい。好ましくは、複数個の突出峰部１１ｄをプレート部１１ａの縦方向に所定の間隔を空けて設けた方がよい。これらの突出峰部１１ｄが、対応するファスナーテープ２の補強コード４を咬着するようになっているからである。しかしこれを設ける必要は必ずしも無い。【００１７】  図１乃至図７に示された実施例において、下止具１０のリベット部材１１とバックプレート１２は、リベット部材１１のピン１１ｂがテープ２を貫通しないようにファスナーテープ２に取り付けられている。当該ピン１１ｂは、テープ２を貫通しない代わりに、ファスナーテープ２の内側側面の間に形成されたギャップ３を貫通して延びているのである。即ちピン１１ｂは、ファスナーテープ２の表裏方向に延び、ギャップ３に挿入されているのである。ファスナーテープ２、特に、その補強コード４は、リベット部材１１のプレート部１１ａとこれに協働するバックプレート１２との間にしっかりと挟着される。このとき、各ファスナーテープ２の補強コード４は、リベット部材１１のプレート面１１ａに設けた縦溝１１ｃに収容されているため、ファスナーテープ２を左右方向へ引っ張る力が加わっても、補強コード４が縦溝１１ｃの側面に引っ掛かり、ファスナーテープ２がプレート部１１ａとバックプレート１２の間の隙間から引き出されてしまうことを防止するのである。また、プレート部１１ａに設けた鋸刃状切込部１３がファスナーテープ２を咬着し、更に、縦溝１１ｃに設けられた突出峰部１１ｄが補強コード４を咬着するため、ファスナーテープ２を縦方向に引っ張る力が加わっても、ファスナーテープ２がプレート部１１ａとバックプレート１２の間の隙間から引き出されてしまうことを防止するのである。【００１８】  図９及び図１０に示されている実施例においては、各ファスナーテープ２の下端部２は、夫々（少なくとも一つの）貫通孔（これらの図においては見えない。）が設けられており、リベット部材１１のピン１１ｂは、バックプレート１２の対応する孔１２ａを貫通するとともに、ファスナーテープ２のこれらの貫通孔にも貫通して係合しており、下止具１０は、全体として、ファスナーテープ２をその横方向に連結している。【００１９】  リベット部材１１の外側面そして／又はバックプレート１２の外側面は、商号、商標等を表すために使用しても良い。リベット部材１１そして／又はバックプレート１２の大まかな形状は、特定のロゴについての顧客の希望に最も良く合わせるために変えることが出来るのである。【００２０】  図面を参照にして以上説明された実施例においては、リベット部材１１は、溝、鋸刃状切込部及び突出峰部を同時に設けているけれども、一般的には、リベット部材は、これらの構造の一つ又は一部のみを設けても良いのである。更に、鋸刃状切込部と峰部が、たとえ存在したとしても、リベット部材のプレート部に対して平行なあらゆる方向に延びても良いのである。【００２１】  以上のような構成によって、本発明による下止具をスライドファスナーに取り付けられる際に、リベット部材のピンを変形するために圧力を均等にかけることができるし、下止具の取付プレート部材の如何なる部分も折り曲げる必要性が無いのである。従って、当該下止具は、非常に丈夫であり、たやすく破断することが無いのである。【００２２】  以上の発明の詳細な説明の欄には色々な具体例が記載されているけれども、これらの具体例は、本発明の範囲を限定するように解釈すべきではなく、本発明の好ましい実施例を単にいくつか提供していると解釈すべきである。【００２３】  従って、本発明の範囲は、記載された実施例によって判断するのではなく、むしろ、添付の請求項及びその均等物によって判断すべきである。
【図面の簡単な説明】
【００２４】
【図１】図１は、本発明による下止具を備えたスライドファスナーの一部を示す斜視図である。
【図２】図２は、図１に示されたスライドファスナーの一部の平面図である。
【図３】図３は、図２のＩＩＩ−ＩＩＩ線に沿って切った部分断面図である。
【図４】図４は、図２の矢印ＩＶの方向に見たスライドファスナーの側面図である。
【図５】図５は、図２のＶ−Ｖ線に沿って切った部分拡大断面図である。
【図６】図６は、図２の矢印ＶＩの方向に見た平面図である。
【図７】図７は、図１及び図２に示されたスライドファスナーの部分の背面図である。
【図８】図８は、本発明による下止具の分解斜視図である。
【図９】図９は、本発明の下止具を備えた別のスライドファスナーの端部の正面図である。
【図１０】図１０は、本発明の下止具を備えた別のスライドファスナーの端部の背面図である。
【符号の説明】
【００２５】２      ファスナーテープ
３      ギャップ
４      縦状補強コード
５      噛合エレメント
１１    リベット部材
１１ａ  第１取付プレート部材
１１ｂ  突出ピン
１１ｃ  溝部
１１ｄ  突出峰部
１２    バックプレート（第２取付プレート部材）
１２ａ  孔
１３    鋸刃状切込部
【図１】
2008068110.tif 000003
【図２】
2008068110.tif 000004
【図３】
2008068110.tif 000005
【図４】
2008068110.tif 000006
【図５】
2008068110.tif 000007
【図６】
2008068110.tif 000008
【図７】
2008068110.tif 000009
【図８】
2008068110.tif 000010
【図９】
2008068110.tif 000011
【図１０】
2008068110.tif 000012